(57)【要約】【課題】  本発明は吸引掃除機に関する。【解決手段】  吸引掃除機は、集塵容器およびフイルタを有するハウジングから成り、前記集塵容器は、送風機ユニットの作動が入口開口部を介して集塵容器へ、そしてフイルタから大気へ流れる空気を発生するように、入口開口部および送風機ユニットに連結され、それにより吸塵空気から塵を分離しかつフイルタにより集塵容器内に保持し、  吸引掃除機は、真空源に接続可能の真空開口部を含み、かつ真空時に、入口開口部または送風機ユニットを介して集塵容器へ侵入する空気と共に真空開口部へ塵を運ぶように構成され、かつ真空開口部を閉鎖するカバーを更に含み、カバーは真空開口部への真空源の接続を可能にするために開放する構成である。【選択図】      図７
2005161091.tif 000002
【特許請求の範囲】
【請求項１】
集塵容器（１１１ｃ）およびフイルタ（１１９）を有するハウジング（１１１）から成る吸引掃除機であって、前記集塵容器（１１１ｃ）は、モータ−送風機ユニット（１１２）の作動が入口開口部（１１６）を介してその集塵容器（１１１ｃ）へ、そして前記フイルタ（１１９）から大気へ流れる空気を発生するように、前記入口開口部（１１６）および前記モータ−送風機ユニット（１１２）に連結され、それにより空気流によって運ばれた塵がその空気流から分離されかつ前記フイルタ（１１９）によって前記集塵容器（１１１ｃ）内に保持され、
前記吸引掃除機は、真空源に接続可能の真空開口部（１２０）を含み、かつ真空時に、前記入口開口部（１１６）および前記モータ−送風機ユニット（１１２）の少なくとも一方を介して前記集塵容器（１１１ｃ）へ侵入する空気の流れと共に前記真空開口部へ塵を運ぶように構成され、かつ
前記吸引掃除機は前記真空開口部を閉鎖するカバー（１２１）を更に含み、かつ前記カバーは前記真空開口部への真空源の接続を可能にするために開放するように構成されている、吸引掃除機。
【請求項２】
前記真空開口部（１２０）は前記入口開口部（１１６）と前記フイルタ（１１９）間で前記集塵容器（１１１ｃ）内に形成されている、請求項１の吸引掃除機。
【請求項３】
前記真空開口部（１２０）は切頭円錐形フランジに形成されている、請求項１または２の吸引掃除機。
【請求項４】
不使用時に前記吸引掃除機を保持するためのキャリア（１３０）を更に含み、前記キャリアはこの吸引掃除機の前記真空開口部に取付けるためのチャンネル入口（１３３）、および前記真空源へ接続できるチャンネル出口（１３２）を有するチャンネルを含む、請求項１から３のいずれか１の吸引掃除機。
【請求項５】
前記カバーは前記ハウジングに軸回転自在に取り付けられている、請求項１から４のいずれか１の吸引掃除機。
【請求項６】
前記カバーは前記ハウジングの外側に取り付けられている、請求項５の吸引掃除機。
【請求項７】
前記モータ−送風機ユニット（１１２）は、集塵時に、前記集塵容器（１１１ｃ）および前記フイルタ（１１９）の下流に設置されている、請求項１から６のいずれか１の吸引掃除機。
【請求項８】
集塵容器（１１１ｃ）、
前記集塵容器（１１１ｃ）へ開放した入口（１１６）、
前記入口（１１６）を介して前記集塵容器（１１１ｃ）へ空気流を発生するためのモータ−送風機ユニット（１１２）、
前記空気流により運ばれた塵をその空気流から分離しかつ前記集塵容器（１１１ｃ）内に塵を保持するための手段（１１９）、および
真空源への取付けのために吸引掃除機へ開放した真空開口部（１２０，１３２）を有する吸引掃除機であって、
前記吸引掃除機は、前記入口（１１６）および前記モータ−送風機ユニット（１１２）の少なくとも一方を介して前記吸引掃除機へ侵入する塵が、真空時に前記真空源により発生する空気流により前記真空開口部へ運ばれるように構成され、
前記真空掃除機は、前記真空開口部を閉鎖するフラットなカバー（１２１，１１８）を更に含み、かつ前記カバーは前記真空開口部と前記真空源との接続を可能にするために開放するように構成されている、吸引掃除機。
【発明の詳細な説明】
【技術分野】
【０００１】
本発明は吸引掃除機、特に第１掃除機とその第１掃除機に取外し自在のハンドクリーナもしくは補助クリーナから成る吸引掃除機に関する。
【０００２】
本発明は、また、集塵容器およびフイルタを有するハウジングから成るタイプの吸引掃除機に関し、前記集塵容器は、モータ−送風機ユニットが前記入口開口部を介して前記集塵容器へ、かつ前記フイルタから大気へ空気流を発生するように、入口開口部およびモータ−送風機ユニットへ接続されている。空気流により運ばれた塵は空気流から分離されて前記フイルタにより前記集塵容器内に保有される。
【背景技術】
【０００３】
従来吸引掃除機は英国特許明細書第２１２６４７１号（以下、’４７１号と言う）に開示されている。この吸引掃除機は起立掃除機と吸引式ハンドクリーナの組合体である。起立掃除機は剛性ハウジングを有し、この剛性ハウジングはハンドクリーナを受けるポケットを有する。このハンドクリーナは起立掃除機の付属品である。この装置は幾つかの欠点を有する。例えば、このハンドクリーナを使用する場合、塵埃はハンドクリーナ内の集塵室へ収集される。また、起立掃除機が使用されるとき、塵埃は起立掃除機内の集塵バッグ内に収集される。従って、１つではなく２つの異なる集塵容器を真空にする必要がある。起立掃除機の集塵バッグは通常使い捨てであり、そこに収集された塵埃が廃棄時に零れる。ハンドクリーナは使い捨て集塵バッグを含まず、その代わりに、集塵室およびその集塵室と送風機間に設置されたフイルタを有する。集塵室を空にするために、フイルタを取外し、かつその集塵を振出す。これは結果的に塵埃を零す。
【０００４】
起立掃除機およびハンドクリーナを主電力で駆動する場合、２つの分離電力ケーブルを必要するか、またはいずれか一方へ選択的に繋ぐことのできる単一電力ケーブルを必要とする。この後者の場合、起立掃除機を押して電力ケーブルをタイトに引張ると、電力ケーブルは起立掃除機から外れて掃除機は停止してしまう。
【０００５】
’４７１号は再充電可能バッテリの使用によりバッテリ駆動するハンドクリーナを示唆している。この場合、ハンドクリーナを起立掃除機から再充電するときには、例え保存時であっても起立掃除機を主電源へ繋いでおく必要がある。
【０００６】
空気を入口開口部から集塵容器へ、そしてフイルタから大気へ流すモータ−送風機ユニットを有し、それによりその空気流により運ばれた塵を空気流から分離しかつフイルタにより集塵容器内に保持するタイプの吸引掃除機は周知である。かかる掃除機は幾つかの形態、例えば、従来から所謂キャニスタクリーナと呼ばれる形態の吸引掃除機がある。この吸引掃除機では、入口開口部はホースの端部に設置され、その他端部はモータ−送風機ユニットおよび集塵容器を含む分離ハウジングへ連結されている。吸引掃除機の他の形態として起立掃除機があり、これは入口開口部、集塵容器、モータ−送風機ユニット、およびハンドルを１ユニットに組合せている。相対的に小さいハンドクリーナもまた知られており、ある場合には、入口開口部内に回転ブラシを含む。このハンドクリーナは、屡、再充電可能バッテリにより駆動するが主電力ユニットは、同様に、全く共通である。
【０００７】
ハンドクリーナは、特に一時的に使用する場合または塵埃、屑、零れた液体等を表面から収集するために簡単に清掃するときに取扱が容易であることから使用される。これらのハンドクリーナは、集塵容器、時にはフイルタと共に、ハウジングから除去することにより空にされ、その後にフイルタを集塵容器から分離し、廃棄入れへフイルタおよび集塵容器を空けて、その後にフイルタおよび集塵容器を再度組立てる。集塵容器は小容積、通常、０．５から１０ｄｌの範囲であるので、その真空掃除機を普通に使用する場合には頻繁に空にする必要があり、これは煩瑣かつ汚い仕事である。
【０００８】
【特許文献１】英国特許第２１２６４７１号
【発明の開示】
【発明が解決しようとする課題】
【０００９】
本発明はかかる煩瑣を解消することを課題とする。
【課題を解決するための手段】
【００１０】
本発明の第１形態による吸引掃除機、即ちハンドクリーナは、集塵容器およびフイルタを有するハウジングから成る吸引掃除機であって、前記集塵容器は、モータ−送風機ユニットの作動が入口開口部を介してその集塵容器へ、そして前記フイルタから大気へ流れる空気を発生するように、前記入口開口部および前記モータ−送風機ユニットに連結され、それにより空気流によって運ばれた塵がその空気流から分離されかつ前記フイルタによって前記集塵容器内に保持され、
前記吸引掃除機は、真空源に接続可能の真空開口部を含み、かつ真空時に、前記入口開口部および前記モータ−送風機ユニットの少なくとも一方を介して前記集塵容器へ侵入する空気の流れと共に前記真空開口部へ塵を運ぶように構成され、かつ
前記吸引掃除機は前記真空開口部を閉鎖するカバーを更に含み、かつ前記カバーは前記真空開口部への真空源の接続を可能にするために開放するように構成されていることを特徴とする。
【００１１】
好適形態において、前記真空開口部は前記入口開口部と前記フイルタ間で前記集塵容器内に形成されている。
【００１２】
好適形態において、前記真空開口部は切頭円錐形フランジに形成されている。
【００１３】
好適形態において、不使用時に前記吸引掃除機を保持するためのキャリアを更に含み、前記キャリアはこの吸引掃除機の前記真空開口部に取付けるためのチャンネル入口、および前記真空源へ接続できるチャンネル出口を有するチャンネルを含む。
【００１４】
好適形態において、前記カバーは前記ハウジングに軸回転自在に取り付けられている。前記カバーは前記ハウジングの外側に取り付けられてよい。
【００１５】
好適形態において、前記モータ−送風機ユニットは、集塵時に、前記集塵容器および前記フイルタの下流に設置されている。
【００１６】
本発明の第２形態による吸引掃除機は、集塵容器、前記集塵容器へ開放した入口、前記入口を介して前記集塵容器へ空気流を発生するためのモータ−送風機ユニット、前記空気流により運ばれた塵をその空気流から分離しかつ前記集塵容器内に塵を保持するための手段、および真空源への取付けのために吸引掃除機へ開放した真空開口部を有し、
前記吸引掃除機は、前記入口および前記モータ−送風機ユニットの少なくとも一方を介して前記吸引掃除機へ侵入する塵が真空時に前記真空源により発生する空気流により前記真空開口部へ運ばれるように構成され、前記真空掃除機は、前記真空開口部を閉鎖するフラットなカバーを更に含み、かつ前記カバーは前記真空開口部と前記真空源との接続を可能にするために開放するように構成されていることを特徴とする。
本発明の第３形態による吸引掃除機は、空気チャンネルならびに空気と塵埃を前記空気チャンネルを介して第１掃除機へ吸引するための送風機を含む第１掃除機、および床上を清掃するための無車輪手持ち型補助クリーナもしくはハンドクリーナから成り、前記ハンドクリーナは集塵室を有し、かつ前記集塵室は、外部から前記第１掃除機へ導入される吸塵空気の空気流路内になく、前記空気チャンネルを介して第１掃除機をそのハンドクリーナの集塵室へ連絡するように取付可能であり、それにより床を清掃するために第１掃除機を使用している間に前記集塵室内の塵埃が収集のために第１掃除機の前記空気チャンネルへ吸い込まれる。
【００１７】
これは使用者が第１掃除機から分離して空にする必要のない補助クリーナを有する掃除機の製造を可能にする。
この意味で、起立型掃除機もしくは「シリンダ型掃除機」との比較でハンドクリーナは軽量かつ小型である。このハンドクリーナは室内装飾品、カーテン、車の内装品、階段等の清掃に使用される。
【００１８】
前記補助クリーナは前記集塵室内に塵埃を保有するためのバルブを含み、かつ前記第１掃除機はその補助クリーナが第１掃除機へ取付けられたときに前記バルブを開放するための手段を含む。前記バルブ開放手段は前記補助クリーナが第１掃除機へ取付けられたときにそのバルブ開放手段を押して開放するために前記空気チャンネル内に設置された管端（栓）である。従って、塵埃は前記補助クリーナが第１掃除機へ取付けられたときに前記集塵室から解放される。
【００１９】
組み込むことのできる特に有用な特徴は、前記掃除機が起立掃除機として使用されるときに、前記集塵室が前記空気チャンネルの一部を形成しかつその起立掃除機に収集された全塵埃が第１掃除機内に収集される前に前記集塵室を通過するように、前記補助クリーナの集塵室へ開放する第２ポートを含むことである。
【００２０】
有利には、第１掃除機は前記空気チャンネルと前記送風機間に設置された集塵容器を含む。これにより使用者は第１掃除機および補助クリーナにより収集された塵埃を典型的には使い捨ての集塵バッグである単一集塵容器から空にすればよい。
【００２１】
便宜的に、前記補助クリーナは、前記補助クリーナが第１掃除機へ取付けられたときに第１掃除機のハンドルを構成するハンドルを含み、それにより同一ハンドルを第１掃除機および補助クリーナの両方に使用でき、それにより材料費を節減しかつ結果的に補助クリーナのコンパクト収納を可能にする。
【００２２】
本発明の第３形態の好適形態によれば、第１掃除機は動力を受ける端子を含み、かつ前記補助クリーナはその補助クリーナへ動力を供給するための動力源、および前記補助クリーナが第１掃除機へ取付けられたときに第１掃除機の前記動力受け端子へ接続自在の動力供給端子を含む。
【００２３】
前記動力源は動力供給ケーブル、動力供給ケーブルを受けるソケット、または再充電可能バッテリであってよい。これらの各事例において、補助クリーナは第１掃除機による制約なしに使用できる。前記補助クリーナは、前記補助クリーナが第１掃除機へ取付けられたときに、前記動力源から第１掃除機へ単独に動力を送るための動力伝達ユニット装置を含む。これは、単一動力供給のみが第１掃除機および補助クリーナの操作に必要であることを意味する。通常、この伝達装置は、前記補助クリーナが第１掃除機へ取付けられたときに、動力源から補助クリーナへ単独に動力を送る作用をする。従って、第１掃除機および補助クリーナに共通スイッチが使用できる。
【００２４】
本発明の第４形態による吸引掃除機は、本体、空気チャンネル、ならびに空気と塵埃を前記空気チャンネルを介して第１掃除機へ吸引するための送風機を含む第１掃除機、および集塵室を有する補助クリーナから成り、前記補助クリーナの集塵室は、外部から前記第１掃除機へ導入される吸塵空気の空気流路内になく、前記空気チャンネルを介して第１掃除機と連絡するように第１掃除機の前記本体上に装備自在であり、それにより床を清掃するために第１掃除機を使用している間に前記集塵室内の塵埃が収集のために第１掃除機の前記空気チャンネルへ吸い込まれる。
【００２５】
かかる掃除機はコンパクトであり、かつ第１掃除機は起立掃除機であり、第１掃除機および補助クリーナの機能は相互に相補的である。消費者にとって第１掃除機と補助クリーナを別々に購入するよりも上述のタイプの掃除機を購入する方が経済的である。
【００２６】
本発明の第３形態に関する上述の有利な特徴は本発明の第４形態にも適用できる。
本発明の第５形態によれば、吸引掃除機は集塵容器およびフイルタを有するハウジングから成り、前記集塵容器は、モータ−送風機ユニットの作動が入口開口部を介してその集塵容器へ、そして前記フイルタから大気へ流れる空気を発生するように、前記入口開口部および前記モータ−送風機ユニットへ接続されていて、それによりその空気流によって運ばれた塵がその空気流から分離されかつ前記フイルタによって前記集塵容器内に保持され、前記吸引掃除機は真空源に取付けるための真空開口部を含み、前記吸引掃除機は真空時に塵を前記入口開口部および前記モータ−送風機ユニットの少なくとも一方を介して前記集塵容器へ侵入する空気流と共に前記真空開口部へ運ぶことのできる構成である。
【発明を実施するための最良の形態】
【００２７】
各々が本発明により構成される吸引掃除機の幾つかの形態について、以下、添付図面を参照して例示として説明する。
図１を参照すると、吸引掃除機は第１掃除機として起立吸引掃除機１、および起立掃除機１に取付けられた補助クリーナとして無車輪補助吸引ハンドクリーナ２を含む。ハンドクリーナ２は起立掃除機１のハンドルを形成するハンドル１３を含む。
【００２８】
図１に示されたようにハンドクリーナ２が起立掃除機１に取付けられたときに、起立掃除機１は従来掃除機と事実上同様に使用できる。
ハンドル１３に隣接してハンドクリーナ２上に設置されたスイッチ１４は、ハンドクリーナ２が取付けられたときに起立掃除機１の操作を制御し、かつ取外されたときにハンドル１３の操作を制御する。動力ケーブル１９がハンドクリーナ２から伸張する。この掃除機の利点は、単に、単一ハンドル、単一スイッチ、および単一動力ケーブルを必要とするのみであることであり、それにより製造コストの削減、および掃除機の操作を簡単にする。
【００２９】
ハンドクリーナ２を起立掃除機１から取外したときに、ハンドクリーナ２は階段、椅子、カーテン、床縁、車内装品等の清掃に使用できる。
起立掃除機１は接地車輪またはローラ１５、清掃する床と対面する吸引開口部４、塵埃等を取除くために吸引開口部４と対面する床領域を打叩くために吸引開口部４内に設置された回転ビータ５、および吸引開口部４から塵埃を吸入する第１空気ダクト６を有するベースユニット３を含む。
【００３０】
剛性、起立本体１６はベースユニット３上に軸回転可能に設置されている。起立本体１６が図１に示されたように、実質的垂直位置に設置されるときに、起立本体１６は保管のために施錠される。使用に際して、起立本体１６は、ベースユニット３が床に沿って押し付けられるように傾斜する。起立本体１６は第１空気ダクト６に連結された第２空気ダクト７を含み、そして塵埃は第１空気ダクト６から第２空気ダクト７へ吸引される。第２空気ダクト７は吸塵空気をダスト室９内に設置された空気透過性集塵バッグ８へ搬送する。起立本体１６は、同様に、吸引送風機１１および吸引送風機１１を駆動するモータ（図示せず）を含む。吸引送風機１１はダスト室９から第１フイルタ１０へ空気を吸引し、かつ第２フイルタ１２を介して大気へ空気を排出する。モータは、同様に、駆動ベルト１７を介して回転ビータ５を駆動する。第１空気ダクト６、第２空気ダクト７、およびダスト室９は全て吸引送風機１１の低圧側に設置されて、共に吸引送風機１１により吸引された空気が通る空気チャンネルを構成する。
【００３１】
第２空気ダクト７は大気に開放したポート１８を含み、気密シール状態で補助ハンドクリーナ２を受ける形態になっている。それにより、起立掃除機１の使用時に空気がポート１８の表面とハンドクリーナ２間で大気から第２空気ダクト７へ侵入することはできない。起立本体１６は、更に、補助ハンドクリーナ２を支持する支持体３０を含む。支持体３０は、起立掃除機１上に担持された時に補助ハンドクリーナ２と係合してハンドクリーナ２を起立掃除機１上に支持しかつ位置決めする作用をするフィンガ２９を含む。
補助ハンドクリーナ２は塵埃を吸引する集塵口３１、その塵埃を収集する集塵室２０、吸引を発生する送風機−モータユニット２２、および集塵室２０内に塵埃を保持するために集塵室２０内と送風機−モータユニット２２間に設置されたダストフイルタ２１を含む。
【００３２】
ハンドクリーナ２は、集塵口３１を最下位にしてハンドクリーナ２を起立支持するときに集塵室２０内に塵埃を保持するために集塵口３１内に設置されたバルブ２３を含む。バルブ２３は支点２５（（図２参照）を中心に運動するように軸支されたフラップであり、かつ集塵口３１を閉鎖する閉鎖位置へ付勢される。送風機−モータユニット２２をスイッチオンすると、吸引の発生によりバルブ２３が開放して塵埃を収集する。
【００３３】
ハンドクリーナ２の集塵口３１およびバルブ２３の配置は図２および３に更に詳細に示されている。図２は起立掃除機１から分離したスイッチオンされていないハンドクリーナ２の端部を示す。従って、バルブ２３はストッパ２４に対して閉鎖位置にある。
【００３４】
図３は起立掃除機１のポート１８へ挿入されたハンドクリーナ２を示す。ポート１８はそのポート１８へ侵入する管端２６を含む。ハンドクリーナ２がポート１８へ挿入されると、管端２６は集塵口３１を通過して、バルブ２３を付勢し開放位置へ偏向させる。そこで、集塵室２０内に収集された塵埃は解放されて起立掃除機１の第２空気ダクト７へ落下する。
【００３５】
起立掃除機１を次に使用するときに、第２空気ダクト７へ落下した塵埃、および集塵室２０内に残留していた塵埃は起立掃除機１のダスト室９内の集塵バッグ８へ吸引される。従って、起立掃除機１の集塵バッグ８とは別にハンドクリーナ２を空にする必要はない。更に、ハンドクリーナ２は起立掃除機１と永久結合せず、それによりハンドクリーナ２は起立掃除機１と完全に独立に使用できる。
【００３６】
図１の形態において、動力ケーブル１９はハンドクリーナ２へ連結されている。動力ケーブル１９は動力伝達ユニット２７へ達する前に動力をスイッチ１４へ送る。動力伝達ユニット２７は、ハンドクリーナ２が起立掃除機１から取外されたときにハンドクリーナ２内の送風機−モータユニット２２、またはハンドクリーナ２を起立掃除機１へ取付けたときに起立掃除機１のいずれかへ主電力を接続する。
【００３７】
動力伝達ユニット２７は起立掃除機１の支持体３０から延びたフィンガ２９により閉鎖されるマイクロスイッチ２８を含む。マイクロスイッチ２８が閉鎖するときに、動力伝達ユニット２７は、コードレスケトルに見られるような一対のコンタクト（図示せず）を経て起立掃除機１へ動力を誘導する。
【００３８】
図１の装置の利点は、嵩高、重量バッテリを必要とすることなくハンドクリーナ２に強力な主電源駆動モータを使用できることである。
【００３９】
ハンドクリーナ２および起立掃除機１の各々は起立掃除機１上にハンドクリーナ２を確実に保持するための係止機構の対応部（図示せず）を含む。その係止機構を解放するために解除ボタンが起立掃除機１またはハンドクリーナ２上に含まれてよい。
【００４０】
清掃用具（図示せず）が上記型吸引掃除機と共に販売されてよい。例えば、隙間用具がハンドクリーナ２の集塵口３１へ取付けられてよい。かかる道具は起立掃除機１の本体上に担持されてよい。
【００４１】
この掃除機の改良型として、ハンドクリーナ２は充電式バッテリにより印加するものであってよく、この場合、起立掃除機１のみが主電源ケーブルを介して印加される。この場合、起立掃除機１は、ハンドクリーナ２が起立掃除機１に担持されるときに充電式バッテリを充電するためにそのバッテリへ接続される充電器ベースユニットを含む。選択的に、この充電器ベースユニットは主電源ソケット近傍で充電できるように起立掃除機１から分離できる構成である。
【００４２】
図４は図１から３の改良型の一部を示す。この掃除機は図１から３の図示形態と同様構成であるので、同様部には同様参照番号を使用し、かつ改良部のみを以下に説明する。
【００４３】
第２空気ダクト７は集塵バッグ（図示せず）へ直接的に誘導されず、ハンドクリーナ２を挿入するポート１８を含む。起立掃除機１は集塵バッグへ誘導される第３空気ダクト７Ａを含む。
【００４４】
ハンドクリーナ２は図１から３の図示例と同様の集塵口３１を含み、支点２５を中心に軸移動して集塵口３１を閉鎖するためにその集塵口３１を付勢するバルブ２３を有する。後述のごとく、バルブ２３を開放するために管端を必要としない。
【００４５】
集塵室２０は第２ポート３１Ａ、および第２ポートを閉鎖できる第２バルブ２３Ａを含む。第２バルブ２３Ａは閉鎖位置へ付勢され、かつリップ２３Ｂを含む。ハンドクリーナ２が起立掃除機１のポート１８へ挿入されると、第２バルブ２３Ｂのリップ２３Ｂは起立掃除機１の本体１６と係合して開放する。起立掃除機１の第３空気ダクト７Ａは、ハンドクリーナ２が起立掃除機１のポート１８へ完全に挿入されたときにハンドクリーナ２の開放第２ポート３１Ａと整列する入口７Ｂを含む。このように、ハンドクリーナ２の集塵室２０は起立掃除機１の空気チャンネルの一部を形成する。起立掃除機１がスイッチオンされると、送風機（図示せず）が空気と塵埃を起立掃除機１のベースユニット（図示せず）の起立開口部から第１空気ダクト（図示せず）を経て第２空気ダクト７へ吸入する。空気の流れはハンドクリーナ２のバルブ２３を偏向させて開放し、かつ吸塵空気はハンドクリーナ２の集塵室２０へ送られる。この空気はそのベースユニットの吸引開口部からの塵埃およびハンドクリーナ２の集塵室２０内にすでに収集された塵埃を第２ポート３１Ａを介して第３空気ダクト７Ａへ、そしてそこから起立掃除機１のダスト室９内に設置された集塵バッグ８へ運ぶ。
【００４６】
ハンドクリーナ２が起立掃除機１から取外されたときに、第２バルブ２３Ａは、その掃除機が図１から３の掃除機について説明したと同様に使用できるように、第２ポート３１Ａを閉鎖する。
【００４７】
図５は吸引掃除機の第２形態を示し、第１掃除機はシリンダ型掃除機である。この明細書において、「シリンダ型掃除機」は本体および前記本体から延びる集塵ホースを含むタイプの吸引掃除機を意味し、前記本体から遠隔のこの集塵ホースは清掃に使用される。図５に示されたシリンダ型掃除機４０は本体４１、本体４１内に設置された送風機ユニット４２、および集塵のために本体へ塵埃を誘導するための集塵ホース４４を有する。ノズル４３がシリンダ型掃除機４０から遠隔の集塵ホース４４の端部に設置されている。ハンドクリーナ４５は集塵ホース４４のノズル４３に取付自在である。ハンドクリーナ４５は集塵室４６、送風機ユニット４７、集塵口４８、および集塵室４６内に塵埃を保持するために集塵口４８内に設置されたバルブ４９を含む。ポート５０はノズル４３の集塵室４６への侵入を可能にするために集塵室４６へ開放する。ノズル４３がポート５０から移動すると、フラップ５１はポート５０を閉鎖する。ハンドクリーナ４５は主導線５２を含み、ノズル４３から分離されたときにこのハンドクリーナは階段等を清掃するために独立に使用できる。送風機ユニット４７は吸塵空気を集塵口４８から集塵室４６へ吸入し、塵埃はそこに収集される。
【００４８】
シリンダ型掃除機４０はハンドクリーナ４５と独立に使用でき、またハンドクリーナ４５はノズル４３へ取付けることができ、それによりハンドクリーナ４５は清掃道具として作用する。そこで、吸塵空気はハンドクリーナ４５から吸引され、かつハンドクリーナ４５に既に収集されている塵埃は中心へ収集するためにシリンダ型掃除機４０へ吸引される。ハンドクリーナ４５がシリンダ型掃除機４０に取付けられたときに、シリンダ型掃除機４０内の送風機ユニット４２は集塵のために単独で使用される。
【００４９】
図６は吸引掃除機の第３形態を示す。この掃除機は図５の掃除機と同様であるので、同様部には同一参照番号が使用されており、改変部分についてのみ以下に詳細に説明する。従って、ハンドクリーナ４５はシリンダ型掃除機４０から遠隔の端部に集塵ホース４４に直接取付自在である。更に、通路５０’はハンドクリーナ４５へ開放し、この通路は集塵室４６と連絡する。集塵ホース４４が通路５０’から取外されると、通路５０’はフラップ５１により閉鎖される。
【００５０】
ハンドクリーナ４５は送風機ユニット４７の作動用スイッチ５８を含む。補助クリーナ４５は、同様に、第１掃除機４０の集塵ホース４５へ取付けられたときにその第１掃除機へ主電源を接続する動力伝達ユニット５７を含む。スイッチ５８は、集塵ホース４６が補助クリーナ４５の通路５０’へ挿入されたときに閉鎖する。第１掃除機４０は第１掃除機４０の送風機ユニット４２を補助クリーナ４５の動力伝達ユニット５７へ接続する集塵ホース４４に続く電力コード５６を含む。このようにして、第１掃除機４０が使用されるときに、補助クリーナ４５は集塵ホース４４へ取付ける必要があり、かつ第１掃除機は補助クリーナ４５上のスイッチ５８により制御される。スイッチ５８をオンすることにより、送風機ユニット４２は作動して補助クリーナ４５の集塵口４８、補助クリーナ４５、および集塵ホース４４から塵埃を吸引する。更に、この作動モード時に、集塵室４６内に収集されたいずれの屑も通路５０’および集塵ホース４４を介して第１掃除機へ吸引される。この作動モードにおいて、補助クリーナ４５内の送風機ユニット４７は作動しない。補助クリーナ４５は、従って、清掃道具として、かつ第１掃除機４０のハンドルとして働く。適宜に、スイッチ５８は第１掃除機４０を作動させる。そこで、吸塵空気はハンドクリーナ４５へ吸引される。
【００５１】
種々の道具が図５および６のハンドクリーナ４５へ取付けることができる。従って、図５に示されたように、剛性延長管５３は、そのフレア端部を集塵口４８上へ押すことによりハンドクリーナ４５の集塵口４８へ取付け可能である。床係合道具５４は延長管５３の反対端部に取付けられる。床係合道具５４は床からの吸引に適した吸引開口部５５を有する。回転ブラシ（図示せず）がその吸引開口部に対面する床領域から塵埃を掻乱すために吸引開口部５５内に設置されてよい。かかるブラシは床係合道具５４を通過する空気流により駆動するタービンにより励起されてよい。
【００５２】
補助ハンドクリーナ４５は第１掃除機４０の本体４１へ取付自在である。ハンドクリーナ４５のハンドルはこの本体のハンドルを形成する。
【００５３】
図７に示されたように、バッテリ駆動吸引掃除機１１０は前後部１１１ａおよび１１１ｂで構成されるハウジング１１１から成る。後部１１１ｂは、導電体（図示せず）および種々の電子素子を介してハウジング１１１上に設置されたハンドル１１４に隣接設置されたスイッチ１１３により制御されるモータ−送風機ユニット１１２を封入する。モータ−送風機ユニット１１２の一部であるこの送風機の出口側はハウジング１１１内の開口部１１５を介して大気と連絡する。
【００５４】
ハウジング１１１の前部１１１ａは、汚染粒子を収集する集塵容器１１１ｃを形成する形態になっており、図示されていない領域（ｍａｎｏｒ）内の後部１１１ｂから取外すことができる。前部１１１ａは入口開口部１１６を有するノズル、および入口開口部１１６から容器１１１ｃの本体へ導入される管１１７を含む。管１１７の内端部は好ましくはゴム製のフラップ１１８により閉鎖される。このフラップの１縁部は管１１７の内端部近くに固定されているのでフラップ１１８は逆止弁として働く。前部１１１ａは、また、塵粒子を容器１１１ｃを流れる空気から分離するフイルタ１１９を支持し、このフイルタは前後部１１１ａ，１１１ｂが相互から分離されたときに前部１１１ａから除去できる。選択的に、フイルタ１１９は後部１１１ｂへ固定されてよい。前部１１１ａは、また、その外側へ軸回転可能に締結されたカバー１２１により通常は閉鎖される真空開口部１２０を有する。開口部１２０は、管状ノズル１２２または分離吸引掃除機の他の付属品（図示せず）が開口部１２０へ接続できるような形状である。好ましくは、開口部１２０は、異なる寸法のノズルを連結できるように切頭円錐形スリーブまたはフランジを有する形態である。
【００５５】
前後部１１１ａおよび１１１ｂは、空気を容器１１１ｃからモータ−送風機ユニット１１２へ通過させる中心入口部１２４を有する隔壁１２３により分離されている。
【００５６】
バッテリ駆動ハンドクリーナは、通常は、図示されたようにキャリア上に収納されている。そのキャリア１２５はフック１２６を含み、かつ主電源ソケットへ接続されかつ充電エネルギを電気的接触手段１２８を介してそのハンドクリーナの後部１１１ｂ内に設置されたバッテリ１２９へ供給するるバッテリ充電器１２７を含む。
【００５７】
図１に示された装置は次のごとく作用する。
【００５８】
吸引掃除機１１０はキャリア１２５から取外され、カバー１２１は開口部１２０上で通常位置に閉鎖される。モータ−送風機ユニット１１２は空気の流れを発生させるためにスイッチ１１３により作動する。この空気は入口開口部１１６へ吸引され、管１１７はそれによりフラップ１１８を上昇させる。容器１１１ｃへ吸引された塵粒子はフイルタ１１９により分離されて容器１１１ｃの底、即ち、特に掃除機１１０がキャリア１２５上に設置されたときに、通常は容器１１１ｃの底にある管１１７の周りの領域へ落下する。清浄空気は入口部１２４から送風機ユニット１１２へ流れ、その後、開口部１１５から大気へ送出される。清掃終了時に、掃除機１１０はキャリア１２５上に再設置される。
【００５９】
床およびカーペットを大きい真空掃除機により清掃する家屋内の通常清掃作業の適宜時に、カバー１２１は開放し、かつその大きい真空掃除機のノズル１２２は開口部１２０へ連結される。容器１１１ｃ内の塵はノズル１２２から大きい真空掃除機の集塵バッグへ吸引される。この大きい真空掃除機内の集塵バッグの容積はバッテリ駆動のハンドクリーナ１１０内の容器１１１ｃの容積よりも数倍大きく、運ばれる塵は集塵バッグ内に収集された塵の体積に大きな変化を与えない。塵が容器１１１ｃから吸引されると同時に、空気は開口部１１６、送風機、入口部１２４の後方へ向かい、そしてフイルタ１１９へ流れる。これはフイルタ１１９へ付着した塵粒子が空気流により捕獲されることを意味する。このことは、同時に、フイルタの清掃が行われることを意味する。更に、幾らかの空気は入口開口部１１６を介して容器１１１ｃへ引き込まれる。
【００６０】
図８を参照すると、この装置は上述の形態と若干相違し、入口開口部１１６から完全に分離した吸引を行わない。同様に、キャリア１３０はチャンネル１３１を含み、このチャンネルはキャリア１３０上に設置されたときに、前部１１１ａの先端および吸引掃除機の入口開口部１１６が当接する当接面１３５を越えて外方へ延びたチャンネルパイプ１３４を含む。吸引掃除機がキャリア１３０上に運ばれたときに、チャンネルパイプ１３４はその容器へ通じる管１１７により囲繞されかつ管１１７の端部からフラップ１１８を上昇させるに足る長さを有する。チャンネルパイプ１３４の端部は１側へ湾曲しているのが好ましく、それによりチャンネル入口１３３は管１１７の長軸と平行の面に設置される。この容器はチャンネル入口１３３へ通じる通路１３６を含み、かつ容器１１１ｃの底へ向かっている。通路１３６は壁部１３７により管１１７の外壁に対して形成される。
【００６１】
チャンネル１３１は、また、集塵器１１１ｃを空にするために真空源を接続できる真空開口部を構成する出口開口部１３２を含む。
【００６２】
本装置は次の用に作用する。バッテリ駆動吸引掃除機１１０即ちハンドクリーナ１１０がキャリア１３０上に設置されると、チャンネル入口１３３が容器１１１ｃ内に形成された通路１３６の上端部へ連結され、同時にチャンネルパイプ１３４の端部がフラップ１１８を上昇させる。通常、家庭の清掃時に、大きい吸引掃除機のノズル１２２は上述のごとく真空開口部１３２へ接続されるので、集塵容器１１１ｃ内の塵は通路１３６から吸引されて大きい吸引掃除機の集塵バッグへ通じるチャンネル１３１へ送られる。
【００６３】
本発明は、空の小容器クリーナと起立吸引掃除機をその吸引掃除機の真空開口部をセントラル吸引掃除機等の真空源へ接続することにより使用できる。このセントラル吸引掃除機は典型的には大きな集塵容器、および分離位置、通常は生活領域の外側にある送風機ユニットを含み、ノズルを具備したホースはその送風機ユニットヘ家屋またはアパート内に設置されたパイプ系によって接続できる。
【図面の簡単な説明】
【００６４】
【図１】起立掃除機およびハンドクリーナにより構成される吸引掃除機の第１形態の図式断面図である。
【図２】図１のハンドクリーナの部分断面図である。
【図３】起立掃除機に取付けられた図１のハンドクリーナの部分断面図である。
【図４】吸引掃除機の第１形態の改良型の断面図であり、ハンドクリーナは起立掃除機に取付けられている。
【図５】吸引掃除機の第２形態の図式図であり、第１クリーナはシリンダ型クリーナである。
【図６】吸引掃除機の第３形態の図式図であり、第１クリーナはシリンダ型クリーナである。
【図７】壁上に取付けられたキャリア上に担持されたハンドクリーナである第４形態の吸引掃除機の縦断面図である。
【図８】特殊タイプのキャリアに支持されたハンドクリーナ型吸引掃除機である第５形態の下部の縦断面図である。
【符号の説明】
【００６５】
１１１    ハウジング
１１１ｃ    集塵容器
１１２    モータ−送風機ユニット
１１６    入口開口部
１１９    フイルタ
１２０    真空開口部
１２１    カバー
１３０    キャリア
１３２    チャンネル出口
１３３    チャンネル入口
【図１】
2005161091.tif 000003
【図２】
2005161091.tif 000004
【図３】
2005161091.tif 000005
【図４】
2005161091.tif 000006
【図５】
2005161091.tif 000007
【図６】
2005161091.tif 000008
【図７】
2005161091.tif 000009
【図８】
2005161091.tif 000010